(57)【要約】  【課題】廃棄物処分場のガス抜き設備におけるガス抜き管の周囲に配置されるガス抜き設備用部材を提供する。【解決手段】ガス抜き設備用部材は、廃棄物処分場に設置されるガス抜き設備に用いられるガス抜き設備用部材であって、ガス抜き設備を構成する竪型のガス抜き管を取り囲むように積み上げられ、プラスチック廃棄物を破砕した破砕プラスチック片を充填した通気性を有する袋体である。【選択図】図４
2020032660.tif 000002
【特許請求の範囲】
【請求項１】
廃棄物処分場に設置されるガス抜き設備に用いられるガス抜き設備用部材であって、
前記ガス抜き設備を構成する竪型のガス抜き管を取り囲むように積み上げられ、プラスチック廃棄物を破砕した破砕プラスチック片を充填した通気性を有する袋体であることを特徴とするガス抜き設備用部材。
【請求項２】
廃棄物処分場に設置されるガス抜き設備の施工方法であって、
前記ガス抜き設備を構成する竪型のガス抜き管を配置するステップと、
前記ガス抜き管を取り囲むようにガス抜き設備用部材を積み上げるステップを有し、
前記ガス抜き設備用部材は、プラスチック廃棄物を破砕した破砕プラスチック片を充填した通気性を有する袋体であることを特徴とするガス抜き設備の施工方法。
【発明の詳細な説明】
【技術分野】
【０００１】
本発明は、廃棄物処分場に設置されるガス抜き設備に用いられるガス抜き設備用部材およびそのガス抜き設備の施工方法に関し、より具体的には、ガス抜き設備を構成する竪型のガス抜き管の周囲を取り囲むように積まれるガス抜き設備用部材に関する。
【背景技術】
【０００２】
廃棄物の最終処分場（以下、廃棄物処分場と称する）は、環境保全の観点から汚水の外部流出、廃棄物の飛散・流出、ガス発生などを防止しながら、所要量の廃棄物を安全に埋立処分できる構造物である。廃棄物処分場は、廃棄物処理法により、遮断型最終処分場、安定型最終処分場、管理型最終処分場の３つに分類され、各最終処分場に構造・維持基準や、各々の処分場に埋立処分できる産業廃棄物の種類等が定められている。
【０００３】
このうち、管理型最終処分場では、遮断型最終処分場でしか処分できない産業廃棄物以外のものが埋立処分され、たとえば、紙くず、木くず、繊維くず、動植物性残さ、動物の糞尿、動物の死体、燃え殻、煤塵、汚泥、鉱滓などが埋立処分される。そのため、埋立廃棄物中の有機物等の分解や金属の溶出に伴い、汚濁物質を含む浸出水やガスが発生する。浸出水については、最終処分場内部と外部を貯留構造物や二重構造の遮水工事によって遮断し、浸出水による地下水汚染を防止するとともに、発生した浸出水を集排水管で集水し、浸出水処理施設で処理後に放流する。また、発生したガスは、ガス抜き設備によって埋立廃棄物層から排出される（特許文献１参照）。
【０００４】
図１、図２及び図３は、廃棄物処分場に設置されたガス抜き設備を説明する図である。図１に示すように、複数のガス抜き設備が廃棄物処分場に設置され、図２に示すように、それぞれガス抜き管を竪方向に配置し、栗石が管の周囲を取り囲むように積まれて形成される。図３に示すように、ガス抜き管は有孔管であって、積み上げられた栗石により確保される通気性のある隙間を介して、ガス抜き管の孔から管内に入るガスを上部の開口から排出する。廃棄物の埋立に応じて、ガス抜き管は上部方向に延伸される。
【先行技術文献】
【特許文献】
【０００５】
【特許文献１】特開２００６−２４７５７２号公報
【発明の概要】
【発明が解決しようとする課題】
【０００６】
ガス抜き設備におけるガス抜き管の周囲を取り囲むように栗石を積む作業は、重機によって行われ、大がかりであり、手間がかかる。今般、本発明者は、ガス抜き管の周囲に積まれる栗石に代わり、人力により施工可能な栗石代替物であるガス抜き設備用部材を開発した。
【０００７】
そこで、本発明の目的は、廃棄物処分場のガス抜き設備におけるガス抜き管の周囲に配置されるガス抜き設備用部材およびガス抜き設備の施工方法を提供することにある。
【課題を解決するための手段】
【０００８】
上記目的を達成するための本発明のガス抜き設備用部材は、廃棄物処分場に設置されるガス抜き設備に用いられるガス抜き設備用部材であって、前記ガス抜き設備を構成する竪型のガス抜き管を取り囲むように積み上げられ、プラスチック廃棄物を破砕した破砕プラスチック片を充填した通気性を有する袋体であることを特徴とする。
【０００９】
本発明のガス抜き設備の施工方法は、廃棄物処分場に設置されるガス抜き設備の施工方法であって、ガス抜き設備を構成する竪型のガス抜き管を配置するステップと、ガス抜き管を取り囲むようにガス抜き設備用部材を積み上げるステップとを有し、ガス抜き設備用部材は、プラスチック廃棄物を破砕した破砕プラスチック片を充填した通気性を有する袋体であることを特徴とする。
【発明の効果】
【００１０】
本発明によれば、 廃棄物処分場に設置されるガス抜き設備において、ガス抜き管の周囲に配置される栗石の代替材が提供される。この栗石代替材は、プラスチック廃棄物を破砕した破砕プラスチック片を通気性のある袋体に充填したものであり、廃棄物を再利用そして有効利用することができ、また、軽量であるため重機を必要としない人力による施工が可能となる。また、破砕プラスチック片は、腐食なく長期に安定した品質を有し、袋体に充填した場合に、袋体内で通気性を有する隙間を形成するため、栗石の代替材となりうる。
【図面の簡単な説明】
【００１１】
【図１】廃棄物処分場に設置されたガス抜き設備を説明する写真である。
【図２】廃棄物処分場に設置されたガス抜き設備を説明する写真である。
【図３】廃棄物処分場に設置されたガス抜き設備を説明する写真である。
【図４】本発明の実施の形態におけるガス抜き設備用部材の構成例を示す図である。
【図５】本発明の実施の形態におけるガス抜き設備用部材の試作例の写真である。
【発明を実施するための形態】
【００１２】
以下、図面を参照して本発明の実施の形態について説明する。しかしながら、かかる実施の形態例が、本発明の技術的範囲を限定するものではない。
【００１３】
図４は、本発明の実施の形態におけるガス抜き設備用部材の構成例を示す図である。ガス抜き設備用部材１は、プラスチック廃棄物を破砕した破砕プラスチック片１１を充填した通気性を有する袋体１２である。この破砕プラスチック片１１を充填した袋体１２を、従来の栗石に代わって、ガス抜き管の周囲に積み上げられる。
【００１４】
袋体１２に充填される破砕プラスチック片１１は、本来であれば、プラスチック廃棄物として廃棄処分となるものを利用する。これは、廃棄物の再利用・有効利用となり、プラスチック廃棄物の廃棄量の低減に寄与する。特に、プラスチック廃棄物を中国などの外国に輸出して廃棄処分している現状があるが、近年、外国での廃棄物の受け入れが滞りつつあり、少しでも廃棄量を減らすために、プラスチック廃棄物を、廃棄物としてではなく、廃棄処分場の設備の一部として有効利用することは大きな意義を有する。
【００１５】
プラスチック廃棄物は、破砕機により破砕され、たとえば５〜１５ｃｍ程度の破砕プラスチック片１１とし、これを袋体１２に充填する。破砕プラスチック片１１は、好ましくは、硬質プラスチック廃棄物を破砕したものであり、袋体１２に充填し、積み上げた際にある程度の圧力がかかった場合でもつぶれずに袋体１２の中で隙間が生じる。破砕プラスチック片１１に用いられる硬質プラスチック廃棄物は、たとえば、負荷をかけた場合に割れて破壊される程度の硬さを有するものである。破砕プラスチック片１１として用いられるプラスチック廃棄物は、腐食等がなく長期にわたって安定しているプラスチック素材であり、栗石の代替品として用いることができる。
【００１６】
袋体１２は通気性を有するものが利用され、破砕プラスチック片１１を充填した袋体１２全体として通気性が確保される。袋体１２はたとえばメッシュ袋であり、その素材、目の粗さは適宜決定されうる。これにより、栗石を積み上げた場合と同様に、ガス抜き管の周面に対する通気性が確保され、埋立処分された廃棄物から発生するガスは、破砕プラスチック片１１を充填した袋体１２の隙間を介して、周面に孔を有するガス抜き管から排出される。
【００１７】
破砕プラスチック片１１を充填した袋体１２は、栗石と比較して軽量であり、人力により積み上げることが可能であり、栗石を用いる場合のように重機を必要としない。ガス抜き設備は、まず、ガス抜き管を配置し、その周囲に上述した本発明のガス抜き設備用部材である破砕プラスチック片１１を充填した袋体１２を積み上げていくことにより施工される。従って、ガス抜き設備の施工が容易かつ簡易化される。また、袋体１２の大きさは、人力にて施工可能な程度の重量となるように決定することができる。
【００１８】
破砕プラスチック片１１を充填した袋体１２は、破砕処理された破砕プラスチック片１１を人手の作業により袋体１２に充填する。もちろん、機械化により、破砕プラスチック片１１を袋体１２に充填する作業が行われてもよい。図５は、本発明者による本発明のガス抜き設備用部材１の試作例の写真である。
【００１９】
本発明は、上記実施の形態に限定されるものではなく、本発明の分野における通常の知識を有する者であれば想到し得る各種変形、修正を含む要旨を逸脱しない範囲の設計変更があっても、本発明に含まれることは勿論である。
【符号の説明】
【００２０】
１：ガス抜き設備用部材、１１：破砕プラスチック片、１２：袋体
【図１】
2020032660.tif 000003
【図２】
2020032660.tif 000004
【図３】
2020032660.tif 000005
【図４】
2020032660.tif 000006
【図５】
2020032660.tif 000007
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
廃棄物処分場に設置されるガス抜き設備に用いられるガス抜き設備用部材であって、
前記ガス抜き設備を構成する竪型のガス抜き管を取り囲むように積み上げられ、プラスチック廃棄物を破砕機により破砕した破砕プラスチック片を充填した通気性を有する袋体であることを特徴とするガス抜き設備用部材。
【請求項２】
廃棄物処分場に設置されるガス抜き設備の施工方法であって、
前記ガス抜き設備を構成する竪型のガス抜き管を配置するステップと、
前記ガス抜き管を取り囲むようにガス抜き設備用部材を積み上げるステップを有し、
前記ガス抜き設備用部材は、プラスチック廃棄物を破砕機により破砕した破砕プラスチック片を充填した通気性を有する袋体であることを特徴とするガス抜き設備の施工方法。
【手続補正２】
【補正対象書類名】明細書
【補正対象項目名】０００８
【補正方法】変更
【補正の内容】
【０００８】
上記目的を達成するための本発明のガス抜き設備用部材は、廃棄物処分場に設置されるガス抜き設備に用いられるガス抜き設備用部材であって、前記ガス抜き設備を構成する竪型のガス抜き管を取り囲むように積み上げられ、プラスチック廃棄物を破砕機により破砕した破砕プラスチック片を充填した通気性を有する袋体であることを特徴とする。
【手続補正３】
【補正対象書類名】明細書
【補正対象項目名】０００９
【補正方法】変更
【補正の内容】
【０００９】
本発明のガス抜き設備の施工方法は、廃棄物処分場に設置されるガス抜き設備の施工方法であって、ガス抜き設備を構成する竪型のガス抜き管を配置するステップと、ガス抜き管を取り囲むようにガス抜き設備用部材を積み上げるステップとを有し、ガス抜き設備用部材は、プラスチック廃棄物を破砕機により破砕した破砕プラスチック片を充填した通気性を有する袋体であることを特徴とする。
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
廃棄物処分場に設置されるガス抜き設備に用いられるガス抜き設備用部材であって、
前記ガス抜き設備を構成する竪型のガス抜き管を取り囲むように積み上げられ、硬質プラスチック廃棄物を破砕機により破砕した５〜１５ｃｍ程度の大きさの破砕プラスチック片を充填した通気性を有する袋体であることを特徴とするガス抜き設備用部材。
【請求項２】
廃棄物処分場に設置されるガス抜き設備の施工方法であって、
前記ガス抜き設備を構成する竪型のガス抜き管を配置するステップと、
前記ガス抜き管を取り囲むようにガス抜き設備用部材を積み上げるステップを有し、
前記ガス抜き設備用部材は、硬質プラスチック廃棄物を破砕機により破砕した５〜１５ｃｍ程度の大きさの破砕プラスチック片を充填した通気性を有する袋体であることを特徴とするガス抜き設備の施工方法。
【手続補正２】
【補正対象書類名】明細書
【補正対象項目名】０００８
【補正方法】変更
【補正の内容】
【０００８】
上記目的を達成するための本発明のガス抜き設備用部材は、廃棄物処分場に設置されるガス抜き設備に用いられるガス抜き設備用部材であって、前記ガス抜き設備を構成する竪型のガス抜き管を取り囲むように積み上げられ、硬質プラスチック廃棄物を破砕機により破砕した５〜１５ｃｍ程度の大きさの破砕プラスチック片を充填した通気性を有する袋体であることを特徴とする。
【手続補正３】
【補正対象書類名】明細書
【補正対象項目名】０００９
【補正方法】変更
【補正の内容】
【０００９】
本発明のガス抜き設備の施工方法は、廃棄物処分場に設置されるガス抜き設備の施工方法であって、ガス抜き設備を構成する竪型のガス抜き管を配置するステップと、ガス抜き管を取り囲むようにガス抜き設備用部材を積み上げるステップとを有し、ガス抜き設備用部材は、硬質プラスチック廃棄物を破砕機により破砕した５〜１５ｃｍ程度の大きさの破砕プラスチック片を充填した通気性を有する袋体であることを特徴とする。